(57)【要約】【課題】内部を露出させるときに、露出させる領域と露出させない領域を有するようにした電気機器を提供する。【解決手段】機器本体１０および機器本体１０の少なくとも一部を覆う封止体２０を有し、内部に電子部品を備えた電気機器Ｘにおいて、機器本体１０に封止体２０を組み付けた際に、機器本体１０の本体周縁端部１２ａおよび封止体２０の封止端部がそれぞれ重なり、本体周縁端部１２ａおよび封止端部の何れか一方に、電気機器Ｘの周縁に沿うように溝部Ｂを形成し、本体周縁端部１２ａおよび封止端部の他方に、溝部Ｂに係合可能な凸部Ｃを形成し、溝部Ｂおよび凸部Ｃを係合させた状態で溝部Ｂに沿って封止体２０をスライド移動可能に構成し、所望の電子部品を露出させない位置で封止体２０のスライド移動を停止させる停止手段Ｄを備える。【選択図】図４
2014199892.tif 000002
【特許請求の範囲】
【請求項１】
機器本体および当該機器本体の少なくとも一部を覆う封止体を有し、内部に電子部品を備えた電気機器において、
前記機器本体に前記封止体を組み付けた際に、前記機器本体の本体周縁端部および前記封止体の封止端部がそれぞれ重なり、
前記本体周縁端部および前記封止端部の何れか一方に、前記電気機器の周縁に沿うように溝部を形成し、
前記本体周縁端部および前記封止端部の他方に、当該溝部に係合可能な凸部を形成し、
前記溝部および前記凸部を係合させた状態で前記溝部に沿って前記封止体をスライド移動可能に構成し、
所望の電子部品を露出させない位置で前記封止体のスライド移動を停止させる停止手段を備えた電気機器。
【請求項２】
前記溝部の一方の端部にて分岐する第一分岐溝部、および、前記溝部の他方の端部にて分岐する第二分岐溝部を設け、前記第二分岐溝部の一端は解放され、
前記凸部が前記第一分岐溝部に係合し、前記封止体が前記機器本体を封止する封止位置から、
前記封止体および前記機器本体が鋭角となる状態で前記封止体の一端が前記機器本体より離間して、前記凸部および前記溝部が係合するスライド移動可能位置、に変位可能であり、
前記封止体のスライド移動により前記凸部が前記停止手段に当接したとき、前記凸部が前記第二分岐溝部をスライド移動して、前記封止体を前記機器本体より離脱させることができる請求項１に記載の電気機器。
【発明の詳細な説明】
【技術分野】
【０００１】
本発明は、機器本体および当該機器本体の少なくとも一部を覆う封止体を有し、内部に電子部品を備えた電気機器に関する。
【背景技術】
【０００２】
電気機器の一種として、壁面に設置される防災用又は防犯用の警報器がある。このような電気機器は、機器本体および当該機器本体の少なくとも一部を覆う封止体を有し、機器本体および封止体で囲まれた空間の内部に、回路基板、端子台、電源部などの電子部品を備えていた。回路基板には、例えばガス検知部、報知部、（端子台）などの部品が配設してある。端子台は、外部からの接続端子を接続できるように構成される。
【０００３】
尚、本発明における従来技術となる上述した電気機器は、一般的な技術であるため、特許文献等の従来技術文献は示さない。
【発明の概要】
【発明が解決しようとする課題】
【０００４】
壁面に設置された電気機器において、例えば操作者が電気機器の内部にアクセスする場合、封止体を機器本体から移動させて電気機器の内部を露出させる。このとき、当該封止体は、機器本体から完全に離脱させるか、封止体の一端（上端）を機器本体に接続させた状態で当該封止体を例えば上方に、かつ封止体と機器本体とが直角となるように揺動させていた。
【０００５】
このようにして電気機器の内部を露出させた場合、電気機器の内部に収容されている全ての電子部品が露出されてしまう。例えば配線部は高圧の電流が流れているため、触れると危険な場合があった。
【０００６】
従って、本発明の目的は、内部を露出させるときに、露出させる領域と露出させない領域を有するようにした電気機器を提供することにある。
【課題を解決するための手段】
【０００７】
上記目的を達成するための本発明に係る電気機器は、機器本体および当該機器本体の少なくとも一部を覆う封止体を有し、内部に電子部品を備えた電気機器であって、その第一特徴構成は、前記機器本体に前記封止体を組み付けた際に、前記機器本体の本体周縁端部および前記封止体の封止端部がそれぞれ重なり、前記本体周縁端部および前記封止端部の何れか一方に、前記電気機器の周縁に沿うように溝部を形成し、前記本体周縁端部および前記封止端部の他方に、当該溝部に係合可能な凸部を形成し、前記溝部および前記凸部を係合させた状態で前記溝部に沿って前記封止体をスライド移動可能に構成し、所望の電子部品を露出させない位置で前記封止体のスライド移動を停止させる停止手段を備えた点にある。
【０００８】
本構成によれば、溝部を、本体周縁端部の一部のみに亘って形成し、かつ、停止手段を設けることで、封止体をスライドさせ得る範囲を設定することができる。即ち、本発明の電気機器では、露出させたくない所望の電子部品が露出しないように封止体をスライド移動させて電気機器の内部にアクセスすることができる。
よって、例えば回路基板などの触れると危険な電子部品を露出させたくない場合、封止体をスライド移動させたときに回路基板（所望の電子部品）が露出しないように溝部の長さを設定し、当該封止体のスライド移動量を設定すればよい。
これにより、封止体をスライド移動して電気機器の内部の一部を露出した場合、アクセスできる領域とアクセス出来ない領域とに分けることができる。従って、例えば触れると危険な所望の電子部品を露出させないように封止体をスライド移動することができるため、安全に作業することができる。
【０００９】
本発明に係る電気機器の第二特徴構成は、前記溝部の一方の端部にて分岐する第一分岐溝部、および、前記溝部の他方の端部にて分岐する第二分岐溝部を設け、前記第二分岐溝部の一端を解放し、前記凸部が前記第一分岐溝部に係合し、前記封止体が前記機器本体を封止する封止位置から、前記封止体および前記機器本体が鋭角となる状態で前記封止体の一端が前記機器本体より離間して、前記凸部および前記溝部が係合するスライド移動可能位置、に変位可能であり、前記封止体のスライド移動により前記凸部が前記停止手段に当接したとき、前記凸部が前記第二分岐溝部をスライド移動して、前記封止体を前記機器本体より離脱させることができる点にある。
【００１０】
本構成によれば、封止体を封止位置からスライド移動可能位置に変位させるに際し、封止体と機器本体との角度が鋭角となる状態になるように封止体を移動させるだけでよい。そのため、当該変位において封止体の操作量（移動量）は、封止体と機器本体とが直角となるように封止体を上方に揺動させる従来の電気機器と比べて少なくなるため、容易に操作できる。
さらに、本構成では、第二分岐溝部の一端を解放端としてあるため、封止体のスライド移動により凸部が停止手段に当接したとき、凸部を第二分岐溝部に沿ってスライド移動させれば、封止体を機器本体より容易に離脱させることができる。
【図面の簡単な説明】
【００１１】
【図１】本発明の電気機器の概略図である（（ａ）斜視図、（ｂ）側面透過図）。
【図２】電気機器の機器本体および封止体を分解した概略図である。
【図３】封止体および機器本体が鋭角となる状態で封止体の一端が機器本体より離間した概略図（（ａ）斜視図、（ｂ）側面透過図）。
【図４】封止体のスライド移動により凸部が停止手段に当接したときの概略図（（ａ）斜視図、（ｂ）側面透過図）。
【図５】封止体を機器本体より離脱させたときの概略図（（ａ）斜視図、（ｂ）側面透過図）。
【発明を実施するための形態】
【００１２】
以下、本発明の実施形態を図面に基づいて説明する。
本発明は、機器本体および当該機器本体の少なくとも一部を覆う封止体を有し、内部に電子部品を備えた電気機器である。
【００１３】
図１,２に示したように、当該電気機器Ｘは、機器本体１０に封止体２０を組み付けた際に、機器本体１０の本体周縁端部１２ａおよび封止体２０の封止端部２１がそれぞれ重なり、本体周縁端部１２ａおよび封止端部２１の何れか一方に、電気機器Ｘの周縁Ａに沿うように溝部Ｂを形成してある。
また、本体周縁端部１２ａおよび封止端部２１の他方に、溝部Ｂに係合可能な凸部Ｃを形成し、溝部Ｂおよび凸部Ｃを係合させた状態で溝部Ｂに沿って封止体２０をスライド移動可能に構成し、所望の電子部品３０を露出させない位置で封止体２０のスライド移動を停止させる停止手段Ｄを備える。
【００１４】
電気機器Ｘは、壁面に設置する態様であればどのような機器であってもよい。当該壁面に設置する電気機器としては、例えば防災用又は防犯用の警報器が挙げられる。本実施形態では、電気機器Ｘとして、可燃性ガス（ＬＰガス）の漏洩を検知するガス警報器を屋内の壁面に設置する態様について説明する。当該電気機器Ｘの形状は特に限定されるものではないが、本実施形態では上面視で矩形状であり、厚板状（例えば１２×７×２．５ｃｍ）の形状を呈するものを例示する。
【００１５】
機器本体１０は回路基板３３を収容するものであり、底面１１と側面１２とを一体に形成して構成されている。即ち、底面１１および側面１２とで囲まれた空間に回路基板３３が収容される。側面１２の端部（封止体２０の側）には、封止体２０と重ね配置される本体周縁端部１２ａが形成してある。本実施形態では、機器本体１０に封止体２０を組み付けた際、本体周縁端部１２ａと封止端部２１とが重ね配置されたときに、本体周縁端部１２ａが内側に位置する場合について説明する。
【００１６】
また、本実施形態では、本体周縁端部１２ａに、電気機器Ｘの周縁Ａに沿うように溝部Ｂが形成してあり、封止端部２１に、溝部Ｂに係合可能な凸部Ｃを形成してある場合について説明する。本実施形態では一対の凸部Ｃを形成した場合を例示してあるが、このような態様に限定されない。
【００１７】
この場合、封止端部２１と本体周縁端部１２ａとが重ね配置されたとき、当該封止端部２１は、本体周縁端部１２ａに形成された溝部Ｂを覆う。当該溝部Ｂは、本体周縁端部１２ａの一部のみに亘って形成する。
【００１８】
また、溝部Ｂは、溝部Ｂの一方の端部ｂ１にて分岐する第一分岐溝部Ｂ１、および、溝部Ｂの他方の端部ｂ２にて分岐する第二分岐溝部Ｂ２を設け、第二分岐溝部Ｂ２の一端は解放されている。
本実施形態では、一対の第一分岐溝部Ｂ１および一対の第二分岐溝部Ｂ２を形成した場合を例示してあるが、このような態様に限定されない。
【００１９】
本実施形態では、溝部Ｂの他方の端部ｂ２において凸部Ｃと当接可能な壁部を形成し、当該壁部を、封止体２０のスライド移動を停止させる停止手段Ｄとしてある。
このように溝部Ｂは、本体周縁端部１２ａの一部のみに亘って形成してあり、かつ、停止手段Ｄを設けることで、封止体２０をスライドさせ得る範囲を設定することができる。即ち、本発明の電気機器Ｘでは、露出させたくない所望の電子部品３０が露出しないように封止体２０をスライド移動させて電気機器Ｘの内部にアクセスすることができる。
よって、例えば配線部３５などの触れると危険な電子部品３０を露出させたくない場合、封止体２０をスライド移動させたときに配線部３５（所望の電子部品）が露出しないように溝部Ｂの長さを設定し、当該封止体２０のスライド移動量を設定すればよい。
これにより、封止体２０をスライド移動して電気機器Ｘの内部の一部を露出した場合、アクセスできる領域とアクセス出来ない領域とに分けることができる。
【００２０】
封止体２０は、機器本体１０の少なくとも一部を覆う部材である。封止体２０には、警報音を外部に伝えるスピーカ開口部２２が形成してあり、封止体２０の側面には、被検知ガスをガス検知部３１に導入する被検知ガス導入口２３が設けてある。
【００２１】
電子部品３０として、例えばガス検知部３１、端子台３２、回路基板３３、報知部３４、配線部３５などの部品が配設してある。回路基板３３には、電源コード（図外）が接続してある。
【００２２】
ガス検知部３１は、被検知ガスである可燃性ガス（ＬＰガス）を検知するものであればどのような態様であってもよく、例えば公知の半導体式センサ素子や接触燃焼式センサ素子などを設けたものを使用できる。
【００２３】
報知部３４は、ガス検知部３１からの信号を受けて警報を発するものであればどのような態様であってもよく、例えば圧電スピーカなどを使用することができる。
【００２４】
端子台３２は、外部からの接続端子を接続できる態様であればよく、回路基板３３に配設してある。端子台３２は、封止体２０をスライド移動して電気機器Ｘの内部の一部を露出した場合、アクセスできる領域となり得る。
【００２５】
本発明の電気機器Ｘでは、凸部Ｃが第一分岐溝部Ｂ１に係合し、封止体２０が機器本体１０を封止する封止位置（図１）から、封止体２０および機器本体１０が鋭角となる状態で封止体２０の一端が機器本体１０より離間して、凸部Ｃおよび溝部Ｂが係合するスライド移動可能位置（図３）、に変位可能である。
【００２６】
当該溝部Ｂは、機器本体１０の底面１１に対して平行ではなく、所定の角度を有する状態で本体周縁端部１２ａに形成されている。当該所定の角度は、封止体２０および機器本体１０が鋭角となる状態となるように設定すればよい。
本構成では、封止体２０を封止位置からスライド移動可能位置に変位させるに際し、封止体２０と機器本体１０との角度が鋭角となる状態になるように封止体２０を移動させるだけでよい。
【００２７】
また、本発明の電気機器Ｘでは、溝部Ｂの端部ｂ２に停止手段Ｄを形成し、第二分岐溝部Ｂ２の一端を解放端としてあるため、封止体２０のスライド移動により凸部Ｃが停止手段Ｄに当接したとき（図４）、凸部Ｃが第二分岐溝部Ｂ２をスライド移動して、封止体２０を機器本体１０より離脱させることができる（図５）。
【００２８】
封止体２０の封止端部２１には凹部２４が形成され、機器本体１０の側面１２には、封止体２０の凹部２４に係合する突出部１３が形成されている。当該突出部１３の上面は、機器本体１０の底面１１に平行な平行部１３ａと、側面視で電気機器Ｘの上面側から底面側に傾斜する傾斜部１３ｂとから形成されている（図３（ｂ），図４（ｂ））。傾斜部１３ｂは溝部Ｂと同程度の所定の角度を有している。
【００２９】
本構成によって、封止体２０を機器本体１０に組み付ける際に、封止端部２１の一部が傾斜部１３ｂと当接して支持されるので、凸部Ｃのみが溝部Ｂと当接し支持されている場合よりも、封止体２０の姿勢を安定した状態でスライド移動させて、機器本体１０に組み付けることできる。また、封止体２０を機器本体１０から離脱させる際にも、封止体２０の姿勢を安定した状態でスライド移動させて離脱させることができる。
尚、突出部１３や凹部２４は省略したとしても、封止体２０をスライド移動させて、機器本体１０に組み付けることできる。
【００３０】
さらに、封止端部２１に形成された把持用の凹凸部２５の中央に、突出部１３に設けられた切欠き１３ｃを位置合わせすることによって（図４（ｂ））、凸部Ｃが第二分岐溝部Ｂ２に係合する位置に正確に配置することができる。
このような構成によって、電機機器Ｘを壁面に設置した状態でも、容易に封止体２０と機器本体１０の位置合わせを行うことができる。
【産業上の利用可能性】
【００３１】
本発明は、機器本体および当該機器本体の少なくとも一部を覆う封止体を有し、内部に電子部品を備えた電気機器に利用できる。
【符号の説明】
【００３２】
Ｘ          電気機器
Ａ          周縁
Ｂ          溝部
Ｂ１        第一分岐溝部
Ｂ２        第二分岐溝部
ｂ１，ｂ２  端部
Ｃ          凸部
Ｄ          停止手段
１０        機器本体
１２ａ      本体周縁端部
２０        封止体
２１        封止端部
３０        電子部品
【図１】
2014199892.tif 000003
【図２】
2014199892.tif 000004
【図３】
2014199892.tif 000005
【図４】
2014199892.tif 000006
【図５】
2014199892.tif 000007